(57)【要約】【課題】様々な仕様の自転車に対応しやすい自転車用バッテリユニットおよびモジュールを提供する。【解決手段】自転車用バッテリユニットは、バッテリセルが設けられるハウジングと、前記ハウジングに設けられる第１取付部と、を含み、前記第１取付部は、自転車のフレームに結合可能な複数種類の第１モジュールを、選択的に取り付け可能に構成される。【選択図】図２
2019018687.tif 000002
【特許請求の範囲】
【請求項１】
バッテリセルが設けられるハウジングと、
前記ハウジングに設けられる第１取付部と、を含み、
前記第１取付部は、自転車のフレームに結合可能な複数種類の第１モジュールを、選択的に取り付け可能に構成される、自転車用バッテリユニット。
【請求項２】
前記第１取付部は、前記ハウジングの第１方向における第１端部に設けられる、請求項１に記載の自転車用バッテリユニット。
【請求項３】
前記ハウジングに設けられる第２取付部をさらに含み、
前記第２取付部は、前記自転車のフレームに結合可能な複数種類の第２モジュールを、選択的に取り付け可能に構成される、請求項１または２に記載の自転車用バッテリユニット。
【請求項４】
前記第１取付部は、前記ハウジングの第１方向における第１端部に設けられ、
前記第２取付部は、前記ハウジングの前記第１方向における第２端部に設けられる、請求項３に記載の自転車用バッテリユニット。
【請求項５】
前記複数種類の第１モジュールには、前記複数種類の第２モジュールに含まれるモジュールと同じ種類のモジュールが少なくとも１つ含まれる、請求項３または４に記載の自転車用バッテリユニット。
【請求項６】
前記複数種類の第１モジュールには、前記複数種類の第２モジュールに含まれるモジュールと同じ種類のモジュールが含まれない、請求項３または４に記載の自転車用バッテリユニット。
【請求項７】
前記複数種類の第２モジュールのうちの１つをさらに含む、請求項３〜６のいずれか一項に記載の自転車用バッテリユニット。
【請求項８】
前記第２取付部に前記第２モジュールを固定するための第２固定部材をさらに含む、請求項３〜７のいずれか一項に記載の自転車用バッテリユニット。
【請求項９】
前記第２固定部材は、ボルトを含む、請求項８に記載の自転車用バッテリユニット。
【請求項１０】
前記複数種類の第１モジュールのうちの１つをさらに含む、請求項１〜９のいずれか一項に記載の自転車用バッテリユニット。
【請求項１１】
前記第１取付部に前記第１モジュールを固定するための第１固定部材をさらに含む、請求項１〜１０のいずれか一項に記載の自転車用バッテリユニット。
【請求項１２】
前記第１固定部材は、ボルトを含む、請求項１１に記載の自転車用バッテリユニット。
【請求項１３】
前記複数種類の第１モジュールのうちの少なくとも１つは、前記自転車に設けられる連結部材に連結可能な連結部分を含む、請求項１〜１２のいずれか一項に記載の自転車用バッテリユニット。
【請求項１４】
前記連結部分は、孔、凸部、および、凹部の少なくとも１つを含む、請求項１３に記載の自転車用バッテリユニット。
【請求項１５】
前記複数種類の第１モジュールのうちの少なくとも１つは、前記第１モジュールを前記第１取付部に装着した状態で、前記バッテリセルと電気的に接続される電気部材を含む、請求項１〜１４のいずれか一項に記載の自転車用バッテリユニット。
【請求項１６】
前記ハウジングに設けられ、前記バッテリセルに電気的に接続される第１コネクタをさらに含み、
前記電気部材は、前記第１モジュールが前記第１取付部に取り付けられた状態で、前記第１コネクタに接続される第２コネクタを含む、請求項１５に記載の自転車用バッテリユニット。
【請求項１７】
前記電気部材は、前記第２コネクタと電気的に接続され、自転車用コンポーネントおよび外部電源の少なくとも一方と接続するための第３コネクタ、ユーザが操作可能な操作部、および、情報を表示可能な表示部の少なくとも１つをさらに含む、請求項１６に記載の自転車用バッテリユニット。
【請求項１８】
前記操作部は、前記バッテリセルからの電力を、前記第３コネクタから前記自転車用コンポーネントに供給するためのスイッチを含む、請求項１７に記載の自転車用バッテリユニット。
【請求項１９】
前記表示部は、前記バッテリセルのバッテリレベルを表示するように構成される、請求項１７または１８に記載の自転車用バッテリユニット。
【請求項２０】
請求項１〜１９のいずれか一項に記載の自転車用バッテリユニットの前記第１取付部に取り付け可能な取付部を含む、モジュール。
【発明の詳細な説明】
【技術分野】
【０００１】
本発明は、自転車用バッテリユニットおよびモジュールに関する。
【背景技術】
【０００２】
特許文献１に開示される自転車用バッテリユニットは、自転車のフレームに取り付けられる。
【先行技術文献】
【特許文献】
【０００３】
【特許文献１】特開平９−２２６６５３号公報
【発明の概要】
【発明が解決しようとする課題】
【０００４】
様々な仕様の自転車を製造するため、製造者は、各仕様に応じた自転車用バッテリユニットを用意する必要がある。
【０００５】
本発明の目的は、様々な仕様の自転車に対応しやすい自転車用バッテリユニットおよびモジュールを提供することである。
【課題を解決するための手段】
【０００６】
本発明の第１側面に従う自転車用バッテリユニットの一形態は、バッテリセルが設けられるハウジングと、前記ハウジングに設けられる第１取付部と、を含み、前記第１取付部は、自転車のフレームに結合可能な複数種類の第１モジュールを、選択的に取り付け可能に構成される。
上記第１側面に従えば、複数種類の第１モジュールから自転車用バッテリユニットに取り付けられる第１モジュール選択できるため、様々な仕様の自転車に対応しやすい。
【０００７】
前記第１側面に従う第２側面の自転車用バッテリユニットにおいて、前記第１取付部は、前記ハウジングの第１方向における第１端部に設けられる。
上記第２側面に従えば、第１方向における第１端部に第１モジュールを取り付けることができる。
【０００８】
前記第１または第２側面に従う第３側面の自転車用バッテリユニットにおいて、前記ハウジングに設けられる第２取付部をさらに含み、前記第２取付部は、前記自転車のフレームに結合可能な複数種類の第２モジュールを、選択的に取り付け可能に構成される。
上記第３側面に従えば、複数種類の第２モジュールから自転車用バッテリユニットに取り付けられる第２モジュール選択できるため、様々な仕様の自転車に対応しやすい。
【０００９】
前記第３側面に従う第４側面の自転車用バッテリユニットにおいて、前記第１取付部は、前記ハウジングの第１方向における第１端部に設けられ、前記第２取付部は、前記ハウジングの前記第１方向における第２端部に設けられる。
上記第４側面に従えば、第１方向における第１モジュールが取り付けられる側と異なる端部に第２モジュールを取り付けることができるため、第１方向と交差する方向に自転車用バッテリユニットが大型化することを抑制できる。
【００１０】
前記第３または第４側面に従う第５側面の自転車用バッテリユニットにおいて、前記複数種類の第１モジュールには、前記複数種類の第２モジュールに含まれるモジュールと同じ種類のモジュールが少なくとも１つ含まれる。
上記第５側面に従えば、ハウジングに同じ種類の２つのモジュールを取り付けることができる。
【００１１】
前記第３または第４側面に従う第６側面の自転車用バッテリユニットにおいて、前記複数種類の第１モジュールには、前記複数種類の第２モジュールに含まれるモジュールと同じ種類のモジュールが含まれない。
上記第６側面に従えば、ハウジングに種類が互いに異なる２つのモジュールを取り付けることができる。
【００１２】
前記第３〜第６側面のいずれか１つに従う第７側面の自転車用バッテリユニットにおいて、前記複数種類の第２モジュールのうちの１つをさらに含む。
上記第７側面に従えば、第２モジュールを含む自転車用バッテリユニットを提供できる。
【００１３】
前記第３〜第７側面のいずれか１つに従う第８側面の自転車用バッテリユニットにおいて、前記第２取付部に前記第２モジュールを固定するための第２固定部材をさらに含む。
上記第８側面に従えば、第２固定部材によって第２モジュールを安定して第２取付部に取り付けることができる。
【００１４】
前記第８側面に従う第９側面の自転車用バッテリユニットにおいて、前記第２固定部材は、ボルトを含む。
上記第９側面に従えば、ボルトによって簡便に第２モジュールを安定して第２取付部に取り付けることができる。
【００１５】
前記第１〜第７側面のいずれか１つに従う第１０側面の自転車用バッテリユニットにおいて、前記複数種類の第１モジュールのうちの１つをさらに含む。
上記第１０側面に従えば、第１モジュールを含む自転車用バッテリユニットを提供できる。
【００１６】
前記第１〜第１０側面のいずれか１つに従う第１１側面の自転車用バッテリユニットにおいて、前記第１取付部に前記第１モジュールを固定するための第１固定部材をさらに含む。
上記第１１側面に従えば、第１固定部材によって第１モジュールを安定して第１取付部に取り付けることができる。
【００１７】
前記第１１側面に従う第１２側面の自転車用バッテリユニットにおいて、前記第１固定部材は、ボルトを含む。
上記第１２側面に従えば、ボルトによって簡便に第１モジュールを安定して第１取付部に取り付けることができる。
【００１８】
前記第１〜第１２側面のいずれか１つに従う第１３側面の自転車用バッテリユニットにおいて、前記複数種類の第１モジュールのうちの少なくとも１つは、前記自転車に設けられる連結部材に連結可能な連結部分を含む。
上記第１３側面に従えば、第１モジュールを介して自転車用バッテリユニットを自転車に取り付けることができる。第１モジュールの種類を変更することによって、種々の自転車に自転車用バッテリユニットを取り付けることができる。
【００１９】
前記第１３側面に従う第１４側面の自転車用バッテリユニットにおいて、前記連結部分は、孔、凸部、および、凹部の少なくとも１つを含む。
上記第１４側面に従えば、連結部分の孔、凸部、および、凹部の少なくとも１つを連結部材に連結することによって、自転車用バッテリユニットを自転車に取り付けることができる。
【００２０】
前記第１〜第１４側面のいずれか１つに従う第１５側面の自転車用バッテリユニットにおいて、前記複数種類の第１モジュールのうちの少なくとも１つは、前記第１モジュールを前記第１取付部に装着した状態で、前記バッテリセルと電気的に接続される電気部材を含む。
上記第１５側面に従えば、バッテリセルの電力を第１モジュールの電気部材に出力できる。
【００２１】
前記第１５側面に従う第１６側面の自転車用バッテリユニットにおいて、前記ハウジングに設けられ、前記バッテリセルに電気的に接続される第１コネクタをさらに含み、前記電気部材は、前記第１モジュールが前記第１取付部に取り付けられた状態で、前記第１コネクタに接続される第２コネクタを含む。
上記第１６側面に従えば、第１コネクタおよび第２コネクタを接続することによって、バッテリセルの電力を第１モジュールの電気部材に出力できる。
【００２２】
前記第１６側面に従う第１７側面の自転車用バッテリユニットにおいて、前記電気部材は、前記第２コネクタと電気的に接続され、自転車用コンポーネントおよび外部電源の少なくとも一方と接続するための第３コネクタ、ユーザが操作可能な操作部、および、情報を表示可能な表示部の少なくとも１つをさらに含む。
上記第１７側面に従えば、第１モジュールをハウジングに取り付けることによって、自転車用コンポーネントおよび外部電源の少なくとも一方と接続するための第３コネクタ、ユーザが操作可能な操作部、および、情報を表示可能な表示部の少なくとも１つを自転車用バッテリユニットに設けることができる。
【００２３】
前記第１７側面に従う第１８側面の自転車用バッテリユニットにおいて、前記操作部は、前記バッテリセルからの電力を、前記第３コネクタから前記自転車用コンポーネントに供給するためのスイッチを含む。
上記第１８側面に従えば、第１モジュールをハウジングに取り付けることによって、バッテリセルからの電力を、第３コネクタから自転車用コンポーネントに供給するためのスイッチを自転車用バッテリユニットに設けることができる。
【００２４】
前記第１７または第１８側面に従う第１９側面の自転車用バッテリユニットにおいて、前記表示部は、前記バッテリセルのバッテリレベルを表示するように構成される。
上記第１９側面に従えば、ユーザは第１モジュールによってバッテリセルのバッテリ残量を確認できる。
【００２５】
本発明の第２０側面に従うモジュールの一形態は、前記第１〜第１９側面のいずれか１つの自転車用バッテリユニットの前記第１取付部に取り付け可能な取付部を含む。
上記第２０側面に従えば、自転車用バッテリユニットのハウジングの第１取付部に取り付け可能なモジュールを提供できる。
【発明の効果】
【００２６】
本発明の自転車用バッテリユニットおよびモジュールは、様々な仕様の自転車に対応しやすい。
【図面の簡単な説明】
【００２７】
【図１】実施形態の自転車用バッテリユニットを含む自転車の側面図。
【図２】図１の自転車用バッテリユニットの取り付け構造を示す分解斜視図。
【図３】図２の自転車用バッテリユニットの斜視図。
【図４】図２の自転車用バッテリユニットの側面図。
【図５】図２の自転車用バッテリユニットのハウジングと第１モジュールとの取り付け構造を示す分解斜視図。
【図６】図２の自転車用バッテリユニットのハウジングと第２モジュールとの取り付け構造を示す分解斜視図。
【図７】図２の自転車用バッテリユニットをフレームに取り付ける第１手順を示す模式図。
【図８】図２の自転車用バッテリユニットをフレームに取り付ける第３手順を示す模式図。
【図９】図４と異なる種類の第１モジュールおよび第２モジュールを含む自転車用バッテリユニットの側面図。
【図１０】図９の自転車用バッテリユニットの平面図。
【図１１】図４および図９と異なる種類の第１モジュールの側面図。
【図１２】図４、図９、および、図１１と異なる種類の第１モジュールの側面図。
【発明を実施するための形態】
【００２８】
図１を参照して、自転車用バッテリユニット６０を含む自転車１０について説明する。以下、自転車用バッテリユニットを、単にバッテリユニットと記載する。自転車１０は、マウンテンバイクであってもよく、ロードバイクであってもよく、シティバイクであってもよい。また、自転車１０は、三輪車であってもよく、カーゴバイクであってもよい。
【００２９】
自転車１０は、フレーム１２、フロントフォーク１４、前輪１６Ａ、後輪１６Ｂ、および、ハンドル１８をさらに含む。フレーム１２は、ヘッドチューブ１２Ａ、トップチューブ１２Ｂ、ダウンチューブ１２Ｃ、シートチューブ１２Ｅ、シートステー１２Ｆ、および、チェーンステー１２Ｇを含む。
【００３０】
自転車１０は、バッテリユニットの取り付け構造２０をさらに含む。取り付け構造２０は、バッテリ取付部２２およびカバー２４（図２参照）を含む。バッテリ取付部２２は、自転車１０のフレーム１２に設けられる。一例では、バッテリ取付部２２は、フレーム１２の一部を構成する。図１に示される例では、バッテリ取付部２２は、ダウンチューブ１２Ｃの一部を構成する。ダウンチューブ１２Ｃは、ヘッドチューブ１２Ａに連結される連結部１２Ｄと、バッテリ取付部２２とを含む。一例では、バッテリ取付部２２の一方の端部が連結部１２Ｄと接続され、バッテリ取付部２２の他方の端部がシートチューブ１２Ｅと接続される。バッテリ取付部２２とシートチューブ１２Ｅとの間には、ドライブユニットが取り付けられるドライブユニット装着部が設けられてもよい。連結部１２Ｄは、バッテリ取付部２２に一体成形されていてもよく、バッテリ取付部２２とは別体で形成され、溶接または接着等によって一体に接合されていてもよい。バッテリ取付部２２は、フレーム１２とは別体に設けられてもよい。
【００３１】
図２に示されるとおり、バッテリ取付部２２は、バッテリ収容部２６を含む。バッテリ収容部２６の材料は、金属または繊維強化樹脂を含む。一例では、バッテリ収容部２６は、少なくともフレーム１２のうちバッテリ収容部２６に連結されている部分と同じ材料によって形成されることが好ましい。バッテリ収容部２６は、バッテリユニット６０を収容する収容空間２６Ａを形成する。バッテリ収容部２６は、例えば、フレーム１２の延びる方向に沿う第１方向Ｘ１に延びる。バッテリ収容部２６は、第１方向Ｘ１の第１寸法Ｈ１よりも、第１方向Ｘ１と垂直かつ自転車１０の幅方向に沿う第２方向Ｙ１の第２寸法Ｈ２の方が短い。バッテリ収容部２６は、第１方向Ｘ１の第１寸法Ｈ１よりも、第１方向Ｘ１および第２方向Ｙ１と直交する第３方向Ｚ１の第３寸法Ｈ３の方が短い。バッテリ収容部２６の外観形状は、自転車１０の種類およびフレーム１２の形状等に合わせて任意にデザインされることが好ましい。
【００３２】
バッテリ収容部２６は、第１の開口２６Ｂをさらに含む。第１の開口２６Ｂは、例えば自転車１０が平地に置かれた状態で下方に開口するように、バッテリ収容部２６に形成されている。第１の開口２６Ｂは、バッテリ収容部２６の収容空間２６Ａと繋がっている。第１の開口２６Ｂは、バッテリユニット６０を収容空間２６Ａに挿入可能な大きさに形成される。バッテリユニット６０は、第１の開口２６Ｂを介して収容空間２６Ａに収容され、バッテリ取付部２２に取り付けられる。
【００３３】
バッテリ取付部２２は、第２の開口２６Ｃをさらに含む。バッテリユニット６０がバッテリ取付部２２に取り付けられた状態において、バッテリユニット６０に設けられるコネクタ、表示部、または、スイッチが第２の開口２６Ｃから露出する。第２の開口２６Ｃは、例えばバッテリ収容部２６の第１方向Ｘ１における側面部に設けられる。バッテリ収容部２６に形成される第２の開口２６Ｃの位置は、バッテリユニット６０に設けられるコネクタ、表示部、または、スイッチの配置によって決められる。第２の開口２６Ｃは、コネクタ、表示部、および、スイッチごとに設けられてもよい。第２の開口２６Ｃの１つは、表示部６２Ｃ（図３参照）がバッテリユニット６０の側面部に設けられる場合、バッテリ収容部２６のうちのバッテリユニット６０の側面部と対応する側面部に設けられる。第２の開口２６Ｃの他の１つは、第３コネクタ９２（図３参照）がバッテリユニット６０の上面部に設けられる場合、バッテリ収容部２６のうちのバッテリユニット６０の上面部と対応する上面部に設けられる。
【００３４】
取り付け構造２０は、バッテリホルダ２８およびブラケット３０をさらに含む。バッテリホルダ２８は、例えばバッテリ取付部２２に設けられる。バッテリホルダ２８は、ホルダ３２および支持部３４を含む。ホルダ３２は、バッテリユニット６０を保持可能である。ホルダ３２は、バッテリ取付部２２に対して変位可能にバッテリ収容部２６内に設けられる。支持部３４は、ホルダ３２がバッテリ取付部２２に対して変位可能にホルダ３２を支持する。
【００３５】
支持部３４は、第１の支持部３４Ａおよび第２の支持部３４Ｂを含む。第１の支持部３４Ａおよび第２の支持部３４Ｂは、例えば収容空間２６Ａに配置される。第１の支持部３４Ａおよび第２の支持部３４Ｂは、第２方向Ｙ１に相互に離間して配置され、バッテリ収容部２６の各側面部にそれぞれ固定される。一例では、第１の支持部３４Ａおよび第２の支持部３４Ｂは、バッテリ収容部２６に、接着、溶接、または、溶着によって固定される。第１の支持部３４Ａおよび第２の支持部３４Ｂは、ボルトによってバッテリ収容部２６に固定されてもよい。第１の支持部３４Ａおよび第２の支持部３４Ｂをバッテリ収容部２６にボルトによって固定する場合、バッテリ収容部２６に、ボルトに対応する貫通孔またはねじ孔の一方が形成され、第１の支持部３４Ａおよび第２の支持部３４Ｂに、ボルトに対応する貫通孔またはねじ孔の他方が形成される。第１の支持部３４Ａおよび第２の支持部３４Ｂは、第２方向Ｙ１において、相互に対向するように配置されている。第１の支持部３４Ａおよび第２の支持部３４Ｂには、それぞれ第２方向Ｙ１に延びる孔３４Ｃが形成されている。孔３４Ｃは、第１の支持部３４Ａおよび第２の支持部３４Ｂの相互に対向する面に少なくとも開口する。孔３４Ｃは、第１の支持部３４Ａおよび第２の支持部３４Ｂを貫通するように形成されていてもよい。第１の支持部３４Ａおよび第２の支持部３４Ｂの孔３４Ｃは、バッテリ収容部２６に固定された状態において、第２方向Ｙ１に並ぶように形成されている。
【００３６】
ホルダ３２は、第１方向Ｘ１に交差する方向に沿う軸線まわりに旋回可能に支持部３４に支持される。ホルダ３２は、本体部３６、第１の係合部３８、軸４０、および、プラグ４２を含む。第１の係合部３８は、例えばホルダ３２がバッテリユニット６０を保持した状態において、バッテリユニット６０の第１方向Ｘ１の一方の端部と対向する部分に設けられる。第１の係合部３８は、バッテリユニット６０に設けられた連結部分１００と係合可能である。第１の係合部３８は、凸部および凹部の少なくとも一方を含む。図２に示す例では、第１の係合部３８は、本体部３６から連結部１２Ｄに向かって突出している。軸４０は、本体部３６に設けられる。軸４０は、本体部３６とは別部材で形成されていてもよく、本体部３６と一体に成形されていてもよい。軸４０は、例えば第２方向Ｙ１において本体部３６の両側面からそれぞれ突出している。軸４０が、本体部３６とは別部材で形成される場合、軸４０は第２方向Ｙ１において本体部３６を貫通するように、本体部３６に設けられる。軸４０は、第１の支持部３４Ａおよび第２の支持部３４Ｂに設けられたそれぞれの孔３４Ｃに挿入されて、支持部３４に回転可能に支持される。ホルダ３２は、軸４０の軸線まわりに旋回可能に支持部３４に支持される。軸４０は、本体部３６に固定されていてもよく、軸４０の軸線まわりに回転可能に本体部３６に支持されていてもよい。軸４０が、軸４０の軸線まわりに回転可能に本体部３６に支持されている場合、軸４０は、支持部３４に回転不能に支持されてもよい。
【００３７】
ホルダ３２は、バッテリユニット６０をバッテリ取付部２２の取り付け位置に保持する第１の位置と、第１の位置から軸４０の軸線まわりに所定角度回転した第２の位置との間で、揺動可能となっている。所定角度は、１０度〜９０度の範囲に選ばれ、好ましくは１０度〜６０度の範囲に選ばれる。本体部３６は、第１の位置から第２の位置に変位する場合、第３方向Ｚ１におけるバッテリ収容部２６の第１の開口２６Ｂ側の端部が、第１方向Ｘ１の連結部１２Ｄと反対側に移動する。これによって、本体部３６が第２の位置に変位した状態で、ホルダ３２とバッテリユニット６０との着脱が容易となる。
【００３８】
軸４０が、軸４０の軸線まわりに回転可能に本体部３６に支持されている場合、支持部３４を省略して、軸４０を支持部として機能させてもよい。この場合、第２方向Ｙ１において本体部３６を貫通する軸４０の、第２方向Ｙ１の両端部をバッテリ取付部２２の側面部に結合する。この場合、軸４０の第２方向Ｙ１の両端部は、接着、溶接、または、溶着によって各側面部に固定されてもよく、一方の端部にねじ部を形成し、他方の端部に頭部を有するボルトによって軸４０を構成して、各側面部の一方に貫通孔を形成し、他方にねじ孔を形成して、軸４０をバッテリ収容部２６に固定してもよい。
【００３９】
プラグ４２は、ホルダ３２がバッテリユニット６０を保持した状態で、バッテリユニット６０の第３コネクタ９２（図３参照）と電気的に接続される。プラグ４２は、例えば本体部３６のうちの第１の係合部３８とは異なる部分から連結部１２Ｄに向かって突出するように設けられる。プラグ４２は、第３方向Ｚ１において、第１の係合部３８よりもバッテリ収容部２６の第１の開口２６Ｂ側に設けられることが好ましい。これによって、プラグ４２を、バッテリユニット６０の第３コネクタ９２に挿入させやすい。
【００４０】
バッテリホルダ２８は、付勢部（図示略）をさらに含むことが好ましい。付勢部は、バッテリユニット６０がホルダ３２に保持されていない状態において、ホルダ３２が第２の位置に配置されるようにホルダ３２を付勢している。付勢部は、例えばホルダ３２とバッテリ収容部２６との間に設けられる。付勢部は、支持部３４に設けられてもよい。付勢部は、ねじりばね、コイルばね、板ばねなどを含む。バッテリユニット６０がホルダ３２に保持され、バッテリユニット６０がバッテリ取付部２２に取り付けられることによって、ホルダ３２が第２の位置から第１の位置に変位する。バッテリユニット６０がバッテリ取付部２２およびホルダ３２から取り外されることによって、ホルダ３２が付勢部により第１の位置から第２の位置に変位する。
【００４１】
ブラケット３０は、バッテリ取付部２２に設けられる。ブラケット３０は、例えばバッテリ収容部２６の収容空間２６Ａに配置されて、バッテリ収容部２６の内周部に固定される。ブラケット３０は、第１方向Ｘ１においてバッテリホルダ２８から間隔をあけて配置されている。ブラケット３０は、バッテリユニット６０が収容空間２６Ａに配置されている状態で、第１方向Ｘ１において、バッテリユニット６０のバッテリホルダ２８側の端部とは反対側の端部に設けられる。ブラケット３０は、Ｕ字形状を有する。ブラケット３０は、第１方向Ｘ１に交差する方向の両端部がそれぞれ、バッテリ収容部２６に固定される。ブラケット３０の両端部は、バッテリ収容部２６の第２方向Ｙ１の側面に固定される。
【００４２】
ブラケット３０は、第２方向Ｙ１において、バッテリ取付部２２に対するバッテリユニット６０の位置決めを行う。ブラケット３０の第２方向Ｙ１の両端部は、それぞれバッテリ収容部２６の内壁に固定される。バッテリ取付部２２に形成される一対の貫通孔２６Ｄおよびブラケット３０の第２方向Ｙ１の両端部に形成される一対の雌ねじ部３０Ａに、一対のボルト４４が挿入されることによって、ブラケット３０がバッテリ取付部２２に固定されている。
【００４３】
ブラケット３０には、バッテリユニット６０の第３コネクタ９２（図３参照）および第３コネクタ９２と対応する第２の開口２６Ｃの間の位置に、挿入孔３０Ｂが形成されている。挿入孔３０Ｂは、キャップＣを挿入可能に構成される。キャップＣは、バッテリユニット６０の第３コネクタ９２に着脱可能に設けられる。キャップＣは、第３コネクタ９２に取り付けた状態で、第３コネクタ９２をカバーするように構成される。第３コネクタ９２が、メス型コネクタの場合には、キャップＣは、第３コネクタ９２に挿入可能に構成されてもよい。第３コネクタ９２が、オス型コネクタの場合には、キャップＣは、第３コネクタ９２が挿入可能な凹部を有していてもよい。キャップＣは、バッテリユニット６０がバッテリ取付部２２に取り付けられた状態で、バッテリ取付部２２の上部に形成される第２の開口２６Ｃ（図示しない）および挿入孔３０Ｂを介して第３コネクタ９２に取り付けられる。キャップＣがバッテリユニット６０に取り付けられることによって、第３コネクタ９２が、塵埃および水等から保護される。また、キャップＣが第３コネクタ９２から取り外された状態において、充電器がバッテリ取付部２２の上部に形成される第２の開口２６Ｃおよび挿入孔３０Ｂを介して第３コネクタ９２に接続されることにより、バッテリセル７６が充電される。
【００４４】
取り付け構造２０は、連結部材５０、第１ボルト５２、および、第２ボルト５４をさらに含む。
連結部材５０は、ヘッド部５０Ａとヘッド部５０Ａと連続する軸部５０Ｂを含む。軸部５０Ｂの端部には、雌ねじ部５０Ｃが設けられる。軸部５０Ｂは、バッテリユニット６０の連結部分８６に連結される。連結部分８６は、バッテリユニット６０を第２方向Ｙ２に貫通する孔８６Ａ（図３参照）を含む。軸部５０Ｂは、連結部分８６の孔８６Ａに挿入されることによって連結部分８６に連結される。連結部材５０のヘッド部５０Ａは、ブラケット３０の一端部に設けられる溝３０Ｃに挿入可能に構成される。
【００４５】
バッテリ取付部２２は、一対の貫通孔２６Ｅ，２６Ｆをさらに含む。一対の貫通孔２６Ｅ，２６Ｆは、バッテリ取付部２２の第２方向Ｙ１の側面部のそれぞれに設けられる。第１ボルト５２は、連結部材５０の軸部５０Ｂがバッテリユニット６０の孔８６Ａに挿入され、かつ、ヘッド部５０Ａがブラケット３０の溝３０Ｃに嵌め込まれた状態において、バッテリ取付部２２の外部から一方の貫通孔２６Ｅを介して雌ねじ部５０Ｃにねじ込まれる。第２ボルト５４は、バッテリ取付部２２の外部から他方の貫通孔２６Ｆを介してブラケット３０に形成される雌ねじ部３０Ｄにねじ込まれる。第２ボルト５４によって、ブラケット３０がバッテリ取付部２２に固定されている。連結部材５０の軸部５０Ｂがバッテリユニット６０の孔８６Ａに挿入され、かつ、ヘッド部５０Ａがブラケット３０の溝３０Ｃに嵌め込まれた状態で、第１ボルト５２が雌ねじ部５０Ｃにねじ込まれることによって、連結部材５０がバッテリユニット６０をバッテリ取付部２２に連結する。
【００４６】
バッテリユニット６０は、バッテリ取付部２２に取り付け可能である。バッテリユニット６０は、バッテリ取付部２２に取り付けられた状態で、自転車１０に含まれる電気的な要素に電力を供給可能である。自転車１０に含まれる電気的な要素は、電動コンポーネントを含む。電動コンポーネントは、ドライブユニット、電動変速機、電動サスペンション、電動シートポスト、表示装置、サイクルコンピュータ、ランプ、および、電動操作装置のうちの少なくとも１つを含む。ドライブユニットは、自転車１０の推進をアシストするモータを含む。図２に示されるとおり、バッテリユニット６０は、例えば、第１方向Ｘ２に延びる。バッテリユニット６０は、第１方向Ｘ２の寸法よりも、第１方向Ｘ２と垂直かつ自転車１０の幅方向に沿う第２方向Ｙ２の寸法の方が短い。バッテリユニット６０は、第１方向Ｘ２の寸法よりも、第１方向Ｘ２および第２方向Ｙ２と直交する第３方向Ｚ２の寸法の方が短い。バッテリユニット６０がバッテリ取付部２２に取り付けられた状態で、バッテリユニット６０の第１方向Ｘ２はバッテリ収容部２６の第１方向Ｘ１と略一致し、バッテリユニット６０の第２方向Ｙ２はバッテリ収容部２６の第２方向Ｙ１と略一致し、バッテリユニット６０の第３方向Ｚ２はバッテリ収容部２６の第３方向Ｚ１と略一致する。
【００４７】
図４に示されるとおり、バッテリユニット６０は、ハウジング６２と、第１取付部６４と、を含む。自転車用バッテリユニット６０は、第２取付部６６、第１固定部材６８、第２固定部材７０、第１コネクタ７２（図７参照）、第４コネクタ７４（図８参照）、バッテリセル７６、回路部７８、複数種類の第１モジュール８０のうちの１つ、および、複数種類の第２モジュール８２のうちの１つをさらに含む。モジュール８０は、第１取付部６４に取り付け可能な取付部８４を含む。
【００４８】
ハウジング６２の材料は、樹脂材料を含む。ハウジング６２は、第１方向Ｘ２の寸法が、第２方向Ｙ２の寸法および第３方向Ｚ２の寸法よりも大きな略直方体形状に形成されている。ハウジング６２には、表示部６２Ｃが設けられる。表示部６２Ｃは、例えばバッテリユニット６０の電池残量を表示する。表示部６２Ｃは、省略されてもよい。
【００４９】
バッテリセル７６は、ハウジング６２に設けられる。ハウジング６２は、バッテリセル７６の少なくとも一部を収容する。好ましくは、ハウジング６２は、バッテリセル７６の全体を収容する。バッテリセル７６は、１つでもよく、複数であってもよい。ハウジング６２の収容空間に収容可能なバッテリセル７６の最大の数は、ハウジング６２の第１方向Ｘ２に沿う寸法、ハウジング６２の第２方向Ｙ２に沿う寸法、および、ハウジング６２の第３方向Ｚ２に沿う寸法によって決められる。バッテリユニット６０の各寸法は、バッテリ収容部２６の収容空間２６Ａに収まる範囲内において、任意に変更可能である。バッテリセル７６は、例えば円柱形状を有する。バッテリセル７６は、充電池を含む。バッテリセル７６は、好ましくはリチウムイオン電池を含む。
【００５０】
回路部７８は、ハウジング６２に設けられる。回路部７８は、ハウジング６２に収容される。回路部７８は、制御部および記憶部を含む。制御部は、予め定められる制御プログラムを実行する演算処理装置を含む。演算処理装置は、例えばＣＰＵ（Central Processing Unit）またはＭＰＵ（Micro Processing Unit）を含む。制御部は、１または複数のマイクロコンピュータを含んでいてもよい。記憶部は、不揮発性メモリを含む。回路部７８は、通信部をさらに含んでいてもよい。通信部は、例えば、電力線通信（ＰＬＣ；Power Line Communication）を行うための通信回路を含む。通信部は、制御部と一体に形成されてもよい。
【００５１】
第１取付部６４は、ハウジング６２に設けられる。第１取付部６４は、自転車１０のフレーム１２に結合可能な複数種類の第１モジュール８０を、選択的に取り付け可能に構成される。第１取付部６４は、ハウジング６２の第１方向Ｘ２における第１端部６２Ａに設けられる。一例では、第１取付部６４は、雌ねじ部６４Ａを含む。
【００５２】
第２取付部６６は、ハウジング６２に設けられる。第２取付部６６は、自転車１０のフレーム１２に結合可能な複数種類の第２モジュール８２を、選択的に取り付け可能に構成される。第２取付部６６は、ハウジング６２の第１方向Ｘ２における第２端部６２Ｂに設けられる。一例では、第２取付部６６は、雌ねじ部６６Ａを含む。
【００５３】
第１固定部材６８は、第１取付部６４に第１モジュール８０を固定するために構成される。第１固定部材６８は、ボルト６８Ａを含む。
第２固定部材７０は、第２取付部６６に第２モジュール８２を固定するために構成される。第２固定部材７０は、ボルト７０Ａを含む。
【００５４】
図５に示されるとおり、第１コネクタ７２は、ハウジング６２に設けられる。第１コネクタ７２は、ハウジング６２の第１方向Ｘ２の第１端部６２Ａに設けられる。第１コネクタ７２は、１つ以上の端子を含む。第１コネクタ７２は、第１モジュール８０が取り付けられる面に設けられる。第１コネクタ７２は、凸部または凹部を含む。図４に示されるとおり、第１コネクタ７２は、バッテリセル７６に電気的に接続される。第１コネクタ７２とバッテリセル７６とは、電線Ｌ１によって接続される。第１コネクタ７２は、回路部７８と電気的に接続される。第１コネクタ７２と回路部７８とは、電線Ｌ２によって接続される。回路部７８が電線Ｌ２によって電力線通信を行う場合には、電線Ｌ２は、電力通信線を含む。電線Ｌ１および電線Ｌ２は、それぞれ複数の電線を含んでいてもよい。
【００５５】
図６に示されるとおり、第４コネクタ７４は、ハウジング６２に設けられる。第４コネクタ７４は、ハウジング６２の第１方向Ｘ２の第２端部６２Ｂに設けられる。第４コネクタ７４は、１つ以上の端子を含む。第４コネクタ７４は、第２モジュール８２が取り付けられる面に設けられる。第４コネクタ７４は、凸部または凹部を含む。図４に示されるとおり、第４コネクタ７４は、バッテリセル７６に電気的に接続される。第４コネクタ７４とバッテリセル７６とは、電線Ｌ１によって接続される。第４コネクタ７４は、回路部７８と電気的に接続される。第４コネクタ７４と回路部７８とは、電線Ｌ２によって接続される。
【００５６】
複数種類の第１モジュール８０は、それぞれ第１モジュール８０が含む機能および形状の少なくとも一方が異なる。第１モジュール８０は、第１取付部６４に取り付けるための取付部８４を含む。一例では、取付部８４は、第１固定部材６８のボルト６８Ａが挿入される孔８４Ａを含んでいてもよい。一例では、複数種類の第１モジュール８０のうちの少なくとも１つは、連結部分８６を含んでいてもよい。連結部分８６は、自転車１０に設けられる連結部材５０に連結可能に構成されていてもよい。連結部分８６は、孔、凸部、および、凹部の少なくとも１つを含む。一例では、複数種類の第１モジュール８０のうちの少なくとも１つは、電気部材８８を含んでいてもよい。電気部材８８は、第１モジュール８０を第１取付部６４に装着した状態で、バッテリセル７６と電気的に接続される。一例では電気部材８８は、第２コネクタ９０を含んでいてもよい。第２コネクタ９０は、第１モジュール８０が第１取付部６４に取り付けられた状態で、第１コネクタ７２に接続される。一例では、電気部材８８は、第３コネクタ９２、ユーザが操作可能な操作部９４（図１１参照）、および、情報を表示可能な表示部９６（図１１参照）の少なくとも１つを含んでいてもよい。第３コネクタ９２は、第２コネクタ９０と電気的に接続され、自転車用コンポーネントおよび外部電源の少なくとも一方と接続する。第３コネクタ９２は、外部電源と接続される充電器のプラグと接続可能に構成される。第３コネクタ９２を介してバッテリセル７６を充電することができる。一例では、操作部９４は、バッテリセル７６からの電力を、第３コネクタ９２から自転車用コンポーネントに供給するためのスイッチ９８（図１１参照）を含んでいてもよい。
【００５７】
図４および図５に示す第１モジュール８０Ａは、複数種類の第１モジュール８０のうちの１つの第１モジュール８０Ａを示す。第１モジュール８０Ａは、取付部８４、連結部分８６、および、電気部材８８を含む。連結部分８６は、第２方向Ｙ２に延びる孔８６Ａを含む。一例では、連結部分８６の孔８６Ａは、第１モジュール８０を第２方向Ｙ２に貫通する。
【００５８】
電気部材８８は、第２コネクタ９０および第３コネクタ９２を含む。第２コネクタ９０は、第１モジュール８０の第１方向Ｘ２の他方の端部に設けられる。第２コネクタ９０は、１つ以上の端子を含む。第３コネクタ９２は、１つ以上の端子を含む。第２コネクタ９０は、第１コネクタ７２の凸部または凹部に嵌め込み可能な凹部または凸部を含む。第２コネクタ９０と第３コネクタ９２とは、電線Ｌ３によって電気的に接続されている。第２コネクタ９０は、第１コネクタ７２および電線Ｌ３を介してバッテリセル７６に電気的に接続される。第２コネクタ９０と第３コネクタ９２とは、電線Ｌ４によって電気的に接続されている。第２コネクタ９０は、第１コネクタ７２および電線Ｌ４を介して回路部７８と電気的に接続される。回路部７８が電線Ｌ４によって電力線通信を行う場合には、電線Ｌ４は、電力通信線を含む。
【００５９】
複数種類の第２モジュール８２は、それぞれ第２モジュール８２が含む機能および形状の少なくとも一方が異なる。第２モジュール８２は、第２取付部６６に取り付けるための取付部８５を含む。一例では、取付部８５は、第２固定部材７０のボルト７０Ａが挿入される孔８５Ａを含んでいてもよい。一例では、複数種類の第２モジュール８２のうちの少なくとも１つは、連結部分１００を含んでいてもよい。連結部分１００は、自転車１０に設けられるホルダ３２に連結可能に構成される。連結部分８６は、孔、凸部、および、凹部の少なくとも１つを含む。一例では、複数種類の第２モジュール８２のうちの少なくとも１つは、電気部材１０２を含む。電気部材１０２は、第２モジュール８２を第２取付部６６に装着した状態で、バッテリセル７６と電気的に接続される。一例では、電気部材１０２は、第５コネクタ１０４を含んでいてもよい。第５コネクタ１０４は、第２モジュール８２が第２取付部６６に取り付けられた状態で、第４コネクタ７４に接続される。一例では、電気部材１０２は、第６コネクタ１０６、ユーザが操作可能な操作部、および、情報を表示可能な表示部の少なくとも１つを含んでいてもよい。第６コネクタ１０６は、第５コネクタ１０４と電気的に接続され、自転車用コンポーネントおよび外部電源の少なくとも一方と接続する。バッテリユニット６０は、プラグ４２が第６コネクタ１０６に接続されることによって、電動コンポーネントに電力を供給可能な状態になる。一例では、操作部は、バッテリセル７６からの電力を、第６コネクタ１０６から自転車用コンポーネントに供給するためのスイッチを含んでいてもよい。
【００６０】
図４および図６に示す第２モジュール８２Ａは、複数種類の第２モジュール８２のうちの１つの第２モジュール８２Ａを示す。第２モジュール８２Ａは、取付部８５、連結部分１００、および、電気部材１０２を含む。連結部分１００は、第２モジュール８２の第１方向Ｘ２の一方の端部に設けられる。連結部分１００は、第２モジュール８２の第１方向Ｘ１の他方に向かって凹む凹部を含む。連結部分１００は、ホルダ３２の第１の係合部３８（図２参照）と対応する形状を含む。連結部分１００は、凹部に変えて、第２モジュール８２の第１方向Ｘ１の一方に向かって突出する凸部を含んでいてもよい。連結部分１００が凸部を含む場合、ホルダ３２の第１の係合部３８は、連結部分１００の凸部と対応する凹部を含むことが好ましい。
【００６１】
電気部材１０２は、第５コネクタ１０４および第６コネクタ１０６を含む。第５コネクタ１０４は、第２モジュール８２の第１方向Ｘ２の一方の端部に設けられる。第５コネクタ１０４は、１つ以上の端子を含む。第６コネクタ１０６は、１つ以上の端子を含む。第５コネクタ１０４は、第４コネクタ７４の凸部または凹部に嵌め込み可能な凹部または凸部を含む。第５コネクタ１０４および第６コネクタ１０６とは、電線Ｌ５によって電気的に接続されている。第６コネクタ１０６は、第４コネクタ７４および電線Ｌ５を介してバッテリセル７６に電気的に接続される。第５コネクタ１０４および第６コネクタ１０６とは、電線Ｌ６によって電気的に接続されている。第６コネクタ１０６は、第５コネクタ１０４および電線Ｌ６を介して回路部７８と電気的に接続される。回路部７８が電線Ｌ６によって電力線通信を行う場合には、電線Ｌ６は、電力通信線を含む。
【００６２】
図２に示されるとおり、バッテリユニット６０は、カバー取付部１０８をさらに含む。カバー取付部１０８は、カバー２４を取り付け可能に構成される。カバー取付部１０８は、雌ねじ部１０８Ａを含む。
【００６３】
カバー２４は、バッテリユニット６０に着脱可能に構成される。カバー２４は、カバー本体２４Ａおよび複数の貫通孔２４Ｂを含む。カバー本体２４Ａは、バッテリユニット６０がバッテリ取付部２２に取り付けられた状態において、バッテリ収容部２６の第１の開口２６Ｂを塞ぐことができるように構成されることが好ましい。カバー本体２４Ａの形状は、例えばバッテリユニット６０のうちのカバー本体２４Ａと対向する面が湾曲している場合、バッテリユニット６０の形状に沿って湾曲した部分を含んでいてもよい。カバー本体２４Ａは、バッテリユニット６０の一部のみをカバーするように構成されてもよい。
【００６４】
複数の貫通孔２４Ｂは、ボルト２５を挿通可能に形成される。複数の貫通孔２４Ｂは、カバー本体２４Ａに設けられる。複数の貫通孔２４Ｂは、カバー本体２４Ａがバッテリユニット６０に取り付けられた状態において、カバー本体２４Ａのうちの各雌ねじ部１０８Ａと対向する位置にそれぞれ設けられる。複数のボルト２５が複数の貫通孔２４Ｂを介して雌ねじ部１０８Ａに挿入されることによって、カバー２４がバッテリユニット６０に取り付けられる。バッテリユニット６０がバッテリ収容部２６の収容空間２６Ａに収容された状態で、バッテリユニット６０はバッテリ収容部２６およびカバー２４によって外部から保護される。
【００６５】
カバー取付部１０８は、一例では、第１モジュール８０および第２モジュール８２の少なくとも一方に設けられる。カバー取付部１０８は、複数の雌ねじ部１０８Ａを含む。複数の雌ねじ部１０８Ａは、バッテリユニット６０がバッテリ取付部２２に取り付けられた状態において、バッテリ収容部２６の第１の開口２６Ｂから露出する。雌ねじ部１０８Ａの数およびその配置は、任意に変更可能である。カバー取付部１０８を第１モジュール８０および第２モジュール８２の少なくとも一方に設ける場合、バッテリユニット６０に含まれる第１モジュール８０および第２モジュール８２の種類を変更することによって、バッテリユニット６０に取り付け可能なカバー２４の種類を変更できる。カバー取付部１０８は、第１モジュール８０および第２モジュール８２の少なくとも一方に代えて、または加えてハウジング６２に設けられてもよい。
【００６６】
図２、図７、および、図８を参照して、バッテリユニット６０のバッテリ取付部２２への取付手順について説明する。図７および図８は、第１方向Ｘ１に沿う取り付け構造２０の断面図である。
【００６７】
バッテリユニット６０は、例えば次の手順を経てバッテリ取付部２２に取り付けられる。図７に示されるように、第１の手順では、ユーザが、バッテリユニット６０の連結部分１００をバッテリ取付部２２の第１の係合部３８に嵌めて、かつ、第６コネクタ１０６をホルダ３２のプラグ４２に接続して、バッテリユニット６０をバッテリ取付部２２に対して旋回させる。具体的には、ユーザが、バッテリユニット６０をホルダ３２に保持させた状態において、ホルダ３２が第１の位置から第２の位置に変位するように、ホルダ３２の軸４０を旋回支点としてバッテリユニット６０を旋回させる。
【００６８】
第２の手順では、ユーザが、バッテリユニット６０がバッテリ収容部２６の収容空間２６Ａに収容されるように、連結部材５０のヘッド部５０Ａを溝３０Ｃ（図２参照）に挿入する。
【００６９】
図２および図８に示されるように、第３の手順では、ユーザが、バッテリユニット６０をバッテリ収容部２６の収容空間２６Ａに収容させた状態で、第１ボルト５２を貫通孔２６Ｅに挿入させ、連結部材５０の雌ねじ部５０Ｃに連結させる。第１ボルト５２を締めることによって、連結部材５０のヘッド部５０Ａとブラケット３０の溝３０Ｃとが係合する。第１ボルト５２と連結部材５０とが連結された状態では、バッテリ収容部２６に対する第３方向Ｚ１に沿う連結部分１００の位置が第１の係合部３８によって保持される。第４の手順では、ユーザが、カバー２４をバッテリユニット６０に取り付ける。以上の手順を経て、バッテリユニット６０がバッテリ取付部２２に取り付けられた状態となる。第４の手順は、第１の手順の前に行われてもよい。
【００７０】
バッテリユニット６０がバッテリ取付部２２に取り付けられた状態では、表示部６２Ｃおよび第３コネクタ９２がバッテリ収容部２６の第２の開口２６Ｃから露出する。また、キャップＣが第３コネクタ９２から取り外されて、充電器が第３コネクタ９２に接続されることにより、バッテリ収容部２６内に収容されたバッテリセル７６（図４参照）が充電される。
【００７１】
バッテリユニット６０の製造者は、バッテリユニット６０に要求される仕様に応じて、複数種類の第１モジュール８０から１つの第１モジュール８０を選択してハウジング６２に取り付け、複数種類の第２モジュール８２から１つの第２モジュール８２を選択してハウジング６２に取り付けて、複数種類のバッテリユニット６０を製造することができる。バッテリユニット６０に要求される仕様は、バッテリユニット６０の形状および機能の少なくとも一方を含む。バッテリユニット６０の製造者によって提供される複数種類の第１モジュール８０には、複数種類の第２モジュール８２に含まれるモジュール８２と同じ種類のモジュール８０が少なくとも１つ含まれてもよい。また、バッテリユニット６０の製造者によって提供される複数種類の第１モジュール８０には、複数種類の第２モジュール８２に含まれるモジュール８２と同じ種類のモジュール８０が含まれなくてもよい。ユーザは、バッテリユニット６０を他の自転車１０に取り付けたり、バッテリセル７６を交換したりする場合に、第１モジュール８０および第２モジュール８２の少なくとも一方を他の種類の第１モジュール８０および第２モジュール８２に付け替えたり、ハウジング６２の部分のみを交換したりすることができる。
【００７２】
ハウジング６２の第１取付部６４は、第１モジュール８０を、第１方向Ｘ１に延びる軸線まわりに所定の角度回転させた状態で取り付けることができるように構成されていてもよい。ハウジング６２の第２取付部６６は、第２モジュール８２を、前記第１方向Ｘ１に延びる軸線まわりに所定の角度回転させた状態で取り付けることができるように構成されていてもよい。所定の角度は、１つまたは複数の角度を含む。図９および図１０は、図３および図４に示すバッテリユニット６０において第１モジュール８０および第２モジュール８２を、第１方向Ｘ１に延びる軸線まわりに９０°回転させた状態で、ハウジング６２に取り付けた状態のバッテリユニット６０Ａを示す。第１取付部６４は、第１モジュール８０を第１方向Ｘ１に延びる軸線まわりに所定の角度回転させた状態で取り付けることができるように複数の雌ねじ部６４Ａを含む。第１コネクタ７２および第２コネクタ９０は、第１モジュール８０を第１方向Ｘ１に延びる軸線まわりに所定の角度回転させた状態で接続することができるように構成される。例えば、図９および図１０に示されるように第１コネクタ７２がハウジング６２の第１端部６２Ａの中央に配置され、第１端部６２Ａ側から見た形状が４回対称性を有する。この場合、第２コネクタ９０は、第１コネクタ７２と対応する形状を有し、第１モジュール８０のうちの第１コネクタ７２と接続可能な位置に設けられる。第２取付部６６は、第２モジュール８２を第１方向Ｘ１に延びる軸線まわりに所定の角度回転させた状態で取り付けることができるように複数の雌ねじ部６４Ａを含む。第４コネクタ７４および第５コネクタ１０４は、第２モジュール８２を第１方向Ｘ１に延びる軸線まわりに所定の角度回転させた状態で接続することができるように構成される。例えば、図９および図１０に示されるように第４コネクタ７４がハウジング６２の第２端部６２Ｂの中央に配置され、第２端部６２Ｂ側から見た形状が４回対称性を有する。この場合、第５コネクタ１０４は、第４コネクタ７４と対応する形状を有し、第２モジュール８２のうちの第４コネクタ７４と接続可能な位置に設けられる。
【００７３】
図１１は、複数種類の第１モジュール８０のうちの第１モジュール８０Ｃを示す。第１モジュール８０Ｃは、第１モジュール８０Ａの構成に加えて電気部材８８が操作部９４および表示部９６をさらに含む。操作部９４は、スイッチ９８を含む。表示部９６は、バッテリセル７６のバッテリレベルを表示するように構成される。図１１の例では、表示部９６およびスイッチ９８は、第１モジュール８０の第２方向Ｙ２の一方の端部に設けられる。スイッチ９８は、電線Ｌ３と接続される。スイッチ９８は、電線Ｌ３の一部の電気的な接続と絶縁とを切り替え可能に構成される。表示部９６は、例えばＬＥＤ（Light Emitting Diode）、液晶パネル、有機ＥＬ（Electro Luminescence）パネルまたは電子ペーパーを含む。表示部９６は、電線Ｌ４とは異なる電線、または、電線Ｌ４によってハウジング６２に設けられる回路部７８と電気的に接続される。回路部７８は、バッテリセル７６のバッテリレベルと対応した表示になるように表示部９６を制御する。表示部９６が電線Ｌ４によって回路部７８と電気的に接続される場合、第１モジュール８０Ｃには、表示部９６を制御する制御部および回路部７８の制御部と通信可能な通信部とが設けられる。
【００７４】
図１２は、複数種類の第１モジュール８０のうちの第１モジュール８０Ｄを示す。第１モジュール８０Ｄは、第１モジュール８０Ｃは、第１モジュール８０Ａの構成に加えて電気部材８８が表示部９６および操作部９４Ａを含む。操作部９４Ａは、電線Ｌ４とは異なる電線、または、電線Ｌ４によってハウジング６２に設けられる回路部７８と電気的に接続される。操作部９４Ａは、ユーザによる操作が行われた場合に、操作信号を回路部７８に出力する。操作部９４Ａが電線Ｌ４によって回路部７８と電気的に接続される場合、第１モジュール８０Ｃには、回路部７８の制御部と通信可能な通信部が設けられる。
【００７５】
（変形例）
上記実施形態に関する説明は、本発明に従う自転車用バッテリユニットおよびモジュールが取り得る形態の例示であり、その形態を制限することを意図していない。本発明に従う自転車用バッテリユニットおよびモジュールは、例えば以下に示される上記実施形態の変形例、および、相互に矛盾しない少なくとも２つの変形例が組み合わせられた形態を取り得る。以下の変形例において、実施形態の形態と共通する部分については、実施形態と同一の符号を付してその説明を省略する。
【００７６】
・ハウジング６２の第１取付部６４に第２モジュール８２を取り付けて、第２モジュール８２を第１モジュール８０としてもよい。この場合、ホルダ３２が連結部材に相当し、第５コネクタ１０４が第２コネクタに相当し、第６コネクタ１０６が第３コネクタに相当する。ハウジング６２の第２取付部に第１モジュール８０を取り付けて、第１モジュール８０を第２モジュール８２としてもよい。この場合、第１コネクタ７２と第４コネクタ７４とが同様の構造を含み、第２コネクタ９０と第５コネクタ１０４とが同様の構造を含むようにすることによって、同一のモジュールを第１モジュール８０および第２モジュール８２の両方に用いることができる。
【００７７】
・第２モジュール８２を省略してもよい。この場合、連結部分１００はハウジング６２の第２端部６２Ｂに設けられる。ハウジング６２の第４コネクタ７４は、バッテリホルダ２８のプラグ４２と接続可能に構成されてもよい。
【００７８】
・第１モジュール８０を省略してもよい。この場合、連結部材５０がハウジング６２の第１端部６２Ａに設けられてもよい。第１モジュール８０を省略する場合、ハウジング６２の第１コネクタ７２は、充電器と直接的に接続可能に構成されてもよく、省略されてもよい。第１モジュール８０を省略したバッテリユニット６０は、ハウジング６２を支持する支持部がバッテリ取付部２２に設けられるフレーム１２を含む自転車１０に取り付けることもできる。
【００７９】
・第１取付部６４をハウジング６２の第１方向Ｘ２と交差する方向の端部に設けてもよい。この場合、第１モジュール８０は、ハウジング６２の第１方向Ｘ２と交差する方向の端部に取り付けられる。
【００８０】
・第１取付部６４は、雌ねじ部６４Ａに代えて、または加えて、第１モジュール８０に嵌合する第１嵌合部を含んでいてもよい。第１嵌合部は、第１端部６２Ａに設けられる。第１嵌合部は、爪部、溝、凹部、および、孔の少なくともいずれか一方を含んでいてもよい。第１嵌合部が爪部を含む場合、この爪部は、第１モジュール８０に形成される溝、凹部、または、孔に嵌合する。第１嵌合部が溝、凹部、または、孔を含む場合、この溝、凹部、または、孔は、第１モジュール８０に形成される爪部に嵌合される。第１嵌合部は、第１モジュール８０を第１方向Ｘ１に交差する方向にスライドさせることによって第１モジュール８０に嵌合する溝、または、第１モジュール８０に形成される溝に嵌まる凸部を含んでいてもよい。この場合、溝、および、凸部は、第１モジュール８０が第１嵌合部に嵌合した状態で、第１モジュール８０がハウジング６２に対して第１方向Ｘ１に相対移動できないように構成されている。第１嵌合部を設ける場合、第１固定部材６８は、省略されてもよい。
【００８１】
・第２取付部６６をハウジング６２の第１方向Ｘ２と交差する方向の端部に設けてもよい。この場合、第２モジュール８２は、ハウジング６２の第１方向Ｘ２と交差する方向の端部に取り付けられる。
【００８２】
・第２取付部６６は、雌ねじ部６６Ａに代えて、または加えて、第２モジュール８２に嵌合する第２嵌合部を含んでいてもよい。第２嵌合部は、第２端部６２Ｂに設けられる。第２嵌合部は、爪部、溝、凹部、および、孔の少なくともいずれか一方を含んでいてもよい。第２嵌合部が爪部を含む場合、この爪部は、第２モジュール８２に形成される溝、凹部、または、孔に嵌合する。第２嵌合部が溝、凹部、または、孔を含む場合、この溝、凹部、または、孔は、第２モジュール８２に形成される爪部に嵌合される。第２嵌合部は、第２モジュール８２を第１方向Ｘ１に交差する方向にスライドさせることによって第２モジュール８２に嵌合する溝、または、第２モジュール８２に形成される溝に嵌まる凸部を含んでいてもよい。この場合、溝、および、凸部は、第２モジュール８２が第２嵌合部に嵌合した状態で、第２モジュール８２がハウジング６２に対して第１方向Ｘ１に相対移動できないように構成されている。第２嵌合部を設ける場合、第２固定部材７０は、省略されてもよい。
【００８３】
・回路部７８を第１モジュール８０または第２モジュール８２に設けるようにしてもよい。また、回路部７８を、ハウジング６２と、第１モジュール８０および第２モジュール８２の少なくとも一方とに分散して設けるようにしてもよい。
【００８４】
・連結部材５０を、一本のボルトによって構成することもできる。この場合、一本のボルトは、第２方向Ｙ２の一端部からバッテリ取付部２２の貫通孔２６Ｅに挿入され、連結部分８６の孔８６Ａを貫通して、バッテリ取付部２２の貫通孔２６Ｆに挿入される。貫通孔２６Ｆを形成するバッテリ取付部２２の内周面には、ボルトが結合される雌ねじが形成される。この場合、貫通孔２６Ｆは、ブラインドホールに変えてもよい。要するに、バッテリユニット６０をフレーム１２に取り付けることのできる構成であれば、連結部材５０および連結部分８６の構造は、適宜変更できる。
【００８５】
・自転車１０からバッテリ取付部２２を省略してもよい。この場合、例えば、バッテリホルダ２８およびブラケット３０がフレーム１２の外周面に取り付けられてもよい。
【符号の説明】
【００８６】
１０…自転車、１２…フレーム、５０…連結部材、６０…自転車用バッテリユニット、６２…ハウジング、６４…第１取付部、６６…第２取付部、６８…第１固定部材、６８Ａ…ボルト、７０…第２固定部材、７０Ａ…ボルト、７２…第１コネクタ、７６…バッテリセル、８０，８０Ａ，８０Ｂ，８０Ｃ，８０Ｄ…第１モジュール（モジュール）、８２，８２Ａ，８２Ｂ…第２モジュール、８４…取付部、８６…連結部分、８８…電気部材、９０…第２コネクタ、９２…第３コネクタ、９４，９４Ａ…操作部、９６…表示部、９８…スイッチ。
【図１】
2019018687.tif 000003
【図２】
2019018687.tif 000004
【図３】
2019018687.tif 000005
【図４】
2019018687.tif 000006
【図５】
2019018687.tif 000007
【図６】
2019018687.tif 000008
【図７】
2019018687.tif 000009
【図８】
2019018687.tif 000010
【図９】
2019018687.tif 000011
【図１０】
2019018687.tif 000012
【図１１】
2019018687.tif 000013
【図１２】
2019018687.tif 000014